(57)【要約】【課題】耳朶に開設された装着孔に挿し込んで装着するピアスイヤリングを着脱が容易で、しかも、確実な抜け止めができるようにする。【解決手段】一端部に装飾部２ａが設けられる細軸部３ｂを、耳朶４に開設された装着孔４ａに貫通状に挿し込むことで装着されるピアスイヤリング１において、耳朶４の装着孔４ａを貫通した細軸部３ｂの他端部に、自然状態では細軸部３ｂより大径の抜止め姿勢となり、弾性変形することで耳朶４の装着孔４ａを貫通自在となる装着姿勢に変姿する抜止め部３ｅを形成する構成とする。【選択図】図１
2013085699.tif 000002
【特許請求の範囲】
【請求項１】
一端部に装飾部が設けられる細軸部を、耳朶に開設された装着孔に貫通状に挿し込むことで装着されるピアスイヤリングにおいて、耳朶の装着孔を貫通した細軸部の他端部に、自然状態では細軸部より大径の抜止め姿勢となり、弾性変形することで耳朶の装着孔を貫通自在となる装着姿勢に変姿する抜止め部を形成したことを特徴とするピアスイヤリング。
【請求項２】
ピアスイヤリングは、装飾部とピン軸とからなるピアス本体と、細軸部が形成された樹脂材からなる装着体とにより構成されるものとし、細軸部にピン軸を内嵌支持する筒孔が形成されされていることを特徴とする請求項１に記載のピアスイヤリング。
【請求項３】
抜止め部は、装着姿勢に保持する保持手段が設けられていることを特徴とする請求項１または２に記載のピアスイアリング。
【発明の詳細な説明】
【技術分野】
【０００１】
本発明は、耳朶に設けられた装着孔に貫通状に挿し込んで装着するピアスイヤリングの技術分野に関するものである。
【背景技術】
【０００２】
一般に、ピアスイヤリングのなかには、ピン状の細軸部の一端部に装飾部を設け、細軸部の他端部を耳朶の装着孔に貫通状に挿し込み、細軸部の貫通端部に止め部材（キャッチ）を嵌着することで、耳朶に抜止め状に止着されるようにしたものがある。このものにおいて、ピアスイヤリングを取外す場合では抜止め部材を細軸部から取外し、その後、細軸部を耳朶から抜出す手順となっており、ピアスイヤリングを装着、取外しをするには、いちいち抜止め部材を細軸部に着脱させる操作が必要である。そのため、着脱操作が面倒であるばかりでなく、抜止め部材が小さく紛失しやすいという問題もある。そこで、耳朶に挿通される細軸部の他端部に、細軸部の軸径よりも大径で、かつ、耳朶の装着孔を挿抜可能な外径を有した球状の係止部を一体形成して、抜止め部材が不要になるようにしたものが提唱されている（特許文献１）。
【先行技術文献】
【特許文献】
【０００３】
【特許文献１】実公平７−６８０９号公報
【発明の概要】
【発明が解決しようとする課題】
【０００４】
しかしながら、前記従来のものでは、装着孔から抜出すことがないよう球状の係止部の外径を予め一定の大きさに設定することになるが、係止部の外径を小さく設定すると装着孔から抜出しやすくなってしまうという問題がある一方で、大きく設定すると装着孔を貫通させる際に違和感があったり、貫通できないことも想定される。さらには、装着孔の孔径には個人差があるため、係止部の外径の設定が一層難しくなるうえ、汎用性にも劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、一端部に装飾部が設けられる細軸部を、耳朶に開設された装着孔に貫通状に挿し込むことで装着されるピアスイヤリングにおいて、耳朶の装着孔を貫通した細軸部の他端部に、自然状態では細軸部より大径の抜止め姿勢となり、弾性変形することで耳朶の装着孔を貫通自在となる装着姿勢に変姿する抜止め部を形成したことを特徴とするピアスイヤリングである。
請求項２の発明において、ピアスイヤリングは、装飾部とピン軸とからなるピアス本体と、細軸部が形成された樹脂材からなる装着体とにより構成されるものとし、細軸部にピン軸を内嵌支持する筒孔が形成されされていることを特徴とする請求項１に記載のピアスイヤリングである。
請求項３の発明において、抜止め部は、装着姿勢に保持する保持手段が設けられていることを特徴とする請求項１または２に記載のピアスイアリングである。
【発明の効果】
【０００６】
請求項１の発明とすることにより、簡単な操作で容易に装着、取外しをすることができ、装着孔を無理に押し広げるような不具合がないものでありながら、抜止め部の外径を大きく確保できて抜止めが確実になるうえ、装着孔の孔径に対する汎用性を高めることができる。
請求項２の発明とすることにより、一つの装着体を用意すれば、複数のピアス本体を金属アレルギー対策が施されたピアスイヤリングとすることができる。
請求項３の発明とすることにより、耳朶への装着、取外しを一層容易に行なうことができる。
【図面の簡単な説明】
【０００７】
【図１】図１（Ａ）、（Ｂ）、（Ｃ）、（Ｄ）はそれぞれピアスイヤリングの分解斜視図、正面図、底面図、図１（Ｂ）のＸ−Ｘ断面図である。
【図２】図２（Ａ）、（Ｂ）、（Ｃ）はそれぞれピアスイヤリングの装着状態を説明する斜視図である。
【図３】図３（Ａ）、（Ｂ）はそれぞれ第二、第三の実施の形態における装着体の斜視図である。
【図４】図４（Ａ）、（Ｂ）、（Ｃ）はそれぞれ第四、第五、第六の実施の形態におけるピアスイヤリングの斜視図である。
【図５】図５（Ａ）、（Ｂ）、（Ｃ）はそれぞれ第七の実施の形態における装着体の抜止め姿勢の正面図、装着姿勢の正面図、耳朶への装着状態を説明する正面図である。
【発明を実施するための形態】
【０００８】
以下、本発明の第一の実施の形態について、図面に基づいて説明する。
図面において、１はピアスイヤリングであって、本実施の形態のピアスイヤリング１は、図１（Ａ）に示すように、装飾部２ａを備えたピアス本体２と、金属アレルギーを発症することのない素材であって、例えば樹脂材等を用いて形成される装着体３とを備えて構成されており、本実施の形態では、耳朶４に開設される装着孔４ａに直接装着される装着体３に本発明が実施されている。
【０００９】
前記ピアス本体２は、天然石等、特別な意匠が施された装飾部２ａと、該装飾部２ａが一端側面に固設される金属材からなる円形状の基板２ｂと、該基板２ｂの他端側面の中心部から他端側に向けて突出する金属材からなるピン軸２ｃとにより構成されている。前記ピン軸２ｃは一端側が外径Ｒ１に形成され、先端側ほど細径となるように形成されるが、前記外径Ｒ１は耳朶４の装着孔４ａより細径に設定されている。また、ピン軸２ｃの軸長Ｌ１は耳朶４の装着孔４ａの一般的な孔長さに略等しい長さに設定されている。
【００１０】
前記装着体３は、前述したように金属アレルギーを発症することのない素材である例えばポリプロピレン等の樹脂材により形成されており、図１の各図に示すように、一端部側の円板状の支持板３ａと、支持板３ａから他端側に延出する細軸部３ｂとを備えて構成されている。前記支持板３ａはピアス本体２の基板２ｂと略同径かそれよりも小さい形状に形成されており、細軸部３ｂは支持板３ａと同芯状に形成されていて、後述するようにピアス本体２を装着体３に一体化したとき、支持板３ａが装飾部２ａにより覆われて露出しないようになっている。
前記支持板３ａの形状、支持板３ａに対する細軸部３ｂの形成位置は、ピアス本体２の形状に合わせて適宜設定することができる。
【００１１】
また、細軸部３ｂの外径Ｒは耳朶４の装着孔４ａに挿し込み可能な大きさに設定されており、ピアス本体２のピン軸２ｃの一端側の外径Ｒ１よりは大径に形成されている。さらに、細軸部３ｂの軸長Ｌは、ピアス本体２のピン軸２ｃの軸長Ｌ１に予め設定される所定長さを加えた長さに設定されている。
そして、細軸部３ｂの装着孔４ａに挿し込み保持される部位には、支持板３ａ側に連通し、ピアス本体２のピン軸２ｃが支持板３ａ側から挿し込まれる筒孔３ｃが開設されている。前記筒孔３ｃの孔径は、本実施の形態では、ピン軸２ｃのの一端側の外径Ｒ１と略同様かそれよりも僅かに小さい長さとなるように寸法設定されており、筒孔３ｃの孔長はピン軸２ｃの軸長と同様かそれよりも長く形成されている。そして、ピン軸２ｃを筒孔３ｃに軽圧入状に挿し込むことにより、ピアス本体２の装飾部２ａが支持板３ａに積層状に配されるとともに、ピアス本体２のピン軸２ｃが筒孔３ｃに対して抜止め状に内嵌支持（嵌着）されるように構成されている。これによって、ピアスイヤリング１はピアス本体２が装着体３から脱落することがないよう一体的に組込まれ、この状態において耳朶４に対して装着、取外しがなされるように構成されている。
【００１２】
さらに、装着体３の細軸部３ｂの他端側には、細軸部３ｂを耳朶４の装着孔４ａに挿し込むときの誘導部材となる誘導部３ｄが形成され、この誘導部３ｄと筒孔３ｃ形成部とのあいだであって、ピアスイヤリング１を装着孔４ａに装着したとき、装着孔４ａの後方に露出する部位に位置して本発明の抜止め部３ｅが形成されている。
前記抜止め部３ｅは、円柱状体となっている細軸部３ｂを、あいだに隙間を存する状態で径方向に二分割することにより形成される一対の分割片３ｆで構成されている。これら分割片３ｆは、軸長方向中間部が互いに離間するよう外径側に膨出してＬ字形状に成型されており、これら分割片３ｆの最大膨出部における対向間隔Ｒ２が細軸部３ｂの外径Ｒよりも大径（Ｒ２＞Ｒ）となるように形成されている。これら一対の分割片３ｆは、樹脂材であるが故に弾性変形自在に構成されており、これによって、一対の分割片３ｆは、自然状態においては細軸部３ｂを越えて外径側に膨出して対向間隔Ｒ２を保持する抜止め姿勢が保持され、分割片３ｆ同士を指先で摘む等して弾性変形させた状態では、分割片３ｆ同士が互いに近接して細軸部３ｂの外径Ｒと略同じ外径になって、耳朶４の装着孔４ａを挿通可能な装着姿勢に変姿するように構成されている。
【００１３】
このように構成されたピアスイヤリング１を耳朶４に装着する場合では、図２（Ａ）に示すように、抜止め部３ｅを構成する一対の分割片３ｆを親指と人指し指との指先で摘んで抜止め姿勢から装着姿勢に弾性変形させ、誘導部３ｄを装着孔４ａの前端部側から挿し込んで、抜止め部３ｅの他端側部位（誘導部３ｄ側部位）までが装着孔４ａに挿し込まれる状態とする。このとき、分割片３ｆの外形状は他端側ほど先細状となって、該部位が装着孔４ａに挿し込む際のガイドとして機能し、抜止め部３ｅの挿し込み操作が容易にできるようになっている。そして、前記分割片３ｆの他端側部位が装着孔４ａに挿し込まれた状態において、図２（Ｂ）に示すように、抜止め部３ｅを挟んでいる状態から装飾部２ａを後方に押しやる操作をすること、あるいは、耳朶４の後方に突出した誘導部３ｄの他端を把持して後方に引きやることで、抜止め部３ｅが装着孔４ａの孔内面により押圧されて装着姿勢に弾性変形する状態で装着孔４ａを貫通して耳朶４の後方に抜出されるように構成されている。そして、この状態になると、抜止め部３ｅは、分割片３ｆが自動的に細軸部３ｂの外径を越えて外径側に膨出して、対向間隔Ｒ２を保持する抜止め姿勢に変姿（復帰）し、これによって、装着孔４ａからの抜止めがなされた状態でピアスイヤリング１が耳朶４に装着されるように構成されている。
【００１４】
これに対し、ピアスイヤリング１を耳朶４から取外す場合では、図２（Ｃ）に示すように、耳朶４の後方において抜止め部３ｅを摘んで弾性変形させながら、装飾部２ａを前方に引き抜く操作、あるいは、誘導部３ｄを前方に押しやる操作をすることにより、ピアスイヤリング１を取外すことができるように構成されている。このとき、分割片３ｆの外形状は一端側ほど先細状となって、該部位が装着孔４ａに挿し込む際のガイドとして機能し、抜止め部３ｅを装着孔４ａから抜出させる操作が容易にできるようになっている。
このように、ピアスイヤリング１は、細軸部３ｂに形成された抜止め部３ｅを弾性変形させることで耳朶４への装着、取外しを容易に行なうことができ、しかも、抜止め部３ｅによりキャッチを用いることなく耳朶４に抜止め状に装着することができて、操作性のよいピアスイヤリング１となるように構成されている。
【００１５】
叙述の如く構成された本形態において、ピアスイヤリング１は、一端部に装飾部２ａが設けられるピアス本体２を装着体３に一体化することで構成され、装着体３に形成される細軸部３ｂを耳朶４の装着孔４ａに貫通状に挿し込むことで装着されるが、このものにおいて、細軸部３ｂの他端部には、弾性変形することで耳朶４の装着孔４ａを貫通可能な抜止め部３ｅが形成されていて、抜け止め部３ｅを弾性変形させながら細軸部３ｂを装着孔４ａに貫通させる操作を行なうことで、耳朶４から抜止めされた状態でピアスイヤリング１を装着することができる。この結果、従来のピアスイヤリングをキャッチにより止着するもののように二部材構成とする必要がなく、キャッチを紛失してしまうような不具合がない。そのうえ、このものでは、抜止め部３ｅを弾性変形させながら細軸部３ｂを装着孔４ａに対して抜挿するという簡単な操作で容易に耳朶４に装着、取外しをすることができる。さらには、抜止め部３ｅを装着姿勢に弾性変形することで細軸部３ｂのように細径にすることができるので、耳朶４への装着、取外し時に装着孔４ａを無理に押し広げるような不具合がないものでありながら、抜止め部３ｅの外径を大きく確保することができて、ピアスイアリング１の耳朶４からの抜止めを確実にすることができ、しかも、装着孔４ａの孔径に対する汎用性を高めることができる。
【００１６】
さらに、本発明が実施されたものにあっては、ピアスイヤリング１は、装飾部２ａとピン軸２ｂとからなるピアス本体２と、細軸部３ｂが形成された樹脂材からなる装着体３とにより構成され、細軸部３ｂに形成される筒孔３ｃにピン軸２ｂを内嵌支持する構成であるので、金属アレルギーを発症するような不具合がないうえ、専用のピアス本体２ばかりでなく、既に所有しているピアス本体を組込むことが可能となる。この結果、一つの装着体３を用意すれば、複数のピアス本体を金属アレルギー対策が施されたピアスイヤリング１とすることができるという利点もある。
【００１７】
ここで、本実施の形態のピアスイヤリング１は、装着体３の細軸部３ｂに形成される筒孔３ｃの孔径を、ピン軸２ｃの一端側における外径Ｒ１と略同様かそれよりも僅かに小さい長さに寸法設定されているので、単にピアス本体２を装着体３の筒孔３ｃに軽圧入状に挿し込めばピアス本体２を装着体３に一体化することができる。これに対し、既に所有する手持ちのピアス本体を装着体３に組込む場合であって、筒孔３ｃの孔径がピン軸の外径よりも大きい場合では、筒孔３ｃ内に接着剤を充填する等の手段を用いることでピアス本体と装着体３とを一体化することができる。
【００１８】
尚、本発明は前記実施の形態に限定されないことは勿論であって、前記実施の形態では、ピアスイヤリングを、金属製のピン軸が設けられたピアス本体を、樹脂材で形成された装着体に装着して用いる二部材構成として、金属製アレルギー対策が図られたものとなっているが、装飾部を直接樹脂材からなる装着体の支持板に設けるような構成としてもよい。さらには、一端部に装飾部が設けられるピアス本体の金属製のピン軸の軸長を長く形成し、該金属材からなるピン軸の他端部に抜止め部を形成、つまり、ピアス本体と装着体とを分割することなく、一部材構成とすることも可能であり、要は、耳朶の装着孔を挿通する軸部に、自然状態では細軸部よりも大径であるが、弾性変形により装着孔を挿通可能な抜止め部を形成して、キャッチを不要にできる構成であればよい。
【００１９】
さらに、図３（Ａ）に第二の実施の形態を示すが、このものは、装着体５の細軸部５ａに形成される抜止め部５ｂを、四分割した分割片５ｃにより構成し、これら分割片５ｃが細軸部５ａの外径を越えて外径側に膨出するようＬ字形状に折曲成型されたものとなっている。
また、図３（Ｂ）に示される第三の実施の形態の装着体６は、細軸部６ａに形成される抜止め部６ｂを、三分割した分割片６ｃにより構成し、これら分割片６ｃが細軸部６ａの外径を越えて外径側に膨出するようＬ字形状に折曲成型されたものとなっている。これら第二、第三の実施の形態の装着体５、６は、何れのものも抜止め部５ｂ、６ｂを指先で把持して弾性変形させながら耳朶の装着孔に挿し込むことで、確実な抜止めがなされた状態で耳朶に装着することができて、これら装着体５、６に的ぎピアス本体を一体化することで、装着、取外しが容易で、しかも確実な抜止めがなされるピアスイヤリングとすることができる。
尚、抜止め部を構成する分割片が二分割の第一実施の形態のものの方が弾性変形させやすいが、第二、第三の実施の形態の各分割片は、第一の実施の形態の分割片より細くなるが故に弾性変形し易いうえ、第一の実施の形態と同様に分割片の上下方向両端部側ほど先細の外形状となって、該部位が装着孔への挿抜の際のガイドとして機能して挿抜操作を容易に行なうことができる。
【００２０】
また、図４（Ａ）に示す第四の実施の形態では、前記第一の実施の形態と同様にピアス本体と装着体との二部材によりイヤリングを構成するときの装着体７が示されている。本実施の形態の装着体７は、支持板７ａ、細軸部７ｂ、第一の実施の形態と同様に、細軸部７ｂを二分割して折曲成型した抜止め部７ｃとを備えて構成されている。そして、このものでは、支持板７ａから細軸部７ｂに至るように形成される筒孔７ｄが、抜止め部７ｃに貫通するように形成されている。これによって、手持ちのピアス本体を一体化して用いる場合に、ピン軸の長さが筒孔よりも長い場合に、切断することなく装着体７に装着することができて、汎用性が一層高まるという利点がある。尚、抜止め部７ｃ側に貫通する筒孔７ｄを他端側ほど細径にしてもよく、このようにすることで、ピアス本体との一体化を一層堅固にできるという利点がある。
【００２１】
図４（Ｂ）に示す第五の実施の形態のものは、樹脂材または金属材で形成される一部材構成のピアスイアリング７であって、該ピアスイアリング８は、支持板８ａ、細軸部８ｂ、細軸部８ｂの軸長方向中間部に形成された抜止め部８ｃとを備えて構成されている。そして、このものでは、支持板８ａから細軸部８ｂに至る筒孔が形成されることはなく、支持板８ａ自体を装飾部とすることもできるが、別途装飾部を用意し、支持板８ａに接着等の手段により直接一体化して用いることも可能に構成されている。
【００２２】
図４（Ｃ）に示す第六の実施の形態のものは、樹脂または金属材で形成される一部材構成のピアスイヤリング９であって、該ピアスイヤリング９は、樹脂材または金属材で形成される一部材構成のピアスイアリング９であって、該ピアスイアリング９は、支持板９ａ、細軸部９ｂ、細軸部９ｂの軸長方向中間部に形成された抜止め部９ｃとを備えて構成されている。前記支持板９ａは断面Ｖ溝形状に形成されており、該Ｖ溝に、適宜カットを施した天然石や宝石等の装飾部９ｄが接着等の手段により一体的に設けられている。尚、この場合に、Ｖ溝形状の支持板の外周に内径側に突出する係止爪を周回り方向に複数形成し、該係止爪を弾性変形させる状態で天然石や宝石等を圧入する構成としてもよく、この場合では、天然石や宝石を一体化するための一体化手段を省略することができる。
そして、これら第四、五、六の実施の形態のものは、何れのものも抜止め部７ｃ、８ｃ、９ｃを弾性変形させることで耳朶の装着孔に対して無理なく、しかも、確実に装着、取外しをすることができる。
【００２３】
さらに、図５に示す第七の実施の形態のようにすることもできる。
第七の実施の形態では樹脂材で形成された装着体１０が示されており、支持板１０ａ、細軸部１０ｂ、抜止め部１０ｃを備えた装着体１０において、一対の分割片１０ｄにより構成される抜止め部１０ｃには、抜止め部１０ｃを装着姿勢に保持する保持手段が設けられている。即ち、一対の分割片１０ｄの自然状態において外径側に膨出する折曲部において、一方の分割片１０ｄの折曲部には、他方の分割片１０ｄ側に向けて突出する突起１０ｅが形成され、該突起１０ｅの先端に球状の係止突部１０ｆが形成されている。また、他方の分割片１０ｄの折曲部には、前記係止突部１０ｆを挿抜自在に嵌入係止するための係止孔１０ｇが開設されている。そして、装着体１０は、抜止め姿勢の抜止め部１０ｃを親指と人指し指との指先で摘んで係止突部１０ｆを係止孔１０ｇに嵌入保持させることにより、装着姿勢に変姿した状態が保持されるように構成されている。また、装着姿勢に保持された装着体１０は、装着体１０の軸長方向両端部、即ち、支持板１０ａと細軸部１０ｂの他端部とを、例えば親指と人指し指との間に挟んで指同士を互いを近付けるように力を加えることにより、係止突部１０ｆが係止孔１０ｇから抜出して抜止め部１０ｃを抜止め姿勢に変姿させることができるように構成されている。
そして、装着体１０にピアス本体を組込んでピアスイアリングを装着する場合では、装着体１０の抜止め部１０ｃを予め装着姿勢に保持し、この状態において、装着体１０の細軸部１０ｂを耳朶４の貫通孔４ａに挿し込み、抜止め部１０ｃが耳朶の後側に達した状態で、ピアス本体と細軸部１０ｂの他端部とを近付けるように押しやることで抜止め部１０ｃを抜止め姿勢に復帰させ、耳朶４に対して抜止め状に装着することができ、また、耳朶４から取外しする場合では、抜止め部１０ｃを前述のような操作で装着姿勢に保持することで耳朶４から容易に取外すことができる。
【産業上の利用可能性】
【００２４】
本発明は、耳朶の装着孔に挿し込んで装着するピアスイヤリングに利用することができる。
【符号の説明】
【００２５】
１  ピアスイヤリング
２  ピアス本体
２ａ  装飾部
２ｃ  ピン軸
３  装着体
３ｂ  細軸部
３ｃ  筒孔
３ｅ  抜止め部
３ｆ  分割片
４  耳朶
４ａ  装着孔
【図１】
2013085699.tif 000003
【図２】
2013085699.tif 000004
【図３】
2013085699.tif 000005
【図４】
2013085699.tif 000006
【図５】
2013085699.tif 000007